(57)【要約】【課題】  本発明は容積を減少し、部品数及び組立工程を最小化し、タブの成形を単純化し、かつ製造原価を低減できる洗濯機を提供する。【解決手段】  本発明による洗濯機は、布出し入れホールが形成されたキャビネット５２と、前記布出し入れホールを開閉するためのドア６０と、前記キャビネット５２の内部に装着されたタブ７０と、前記タブ７０の内側に回転自在に配置されて布ｍを収容するドラム８０と、前記ドア６０に形成された洗剤投入部９０と、を含む。【選択図】      図３
2006075604.tif 000002
【特許請求の範囲】
【請求項１】
布出し入れホールが形成されたキャビネットと、
前記布出し入れホールを開閉するためのドアと、
前記キャビネットの内部に装着されたタブと、
前記タブの内側に回転自在に配置されて布を収容するドラムと、
前記ドアに形成された洗剤投入部と、
を含むことを特徴とする洗濯機。
【請求項２】
前記洗剤投入部の入口部は前記ドアの前面に形成され、かつ前記洗剤投入部の出口部は前記ドアの背面に形成されていることを特徴とする請求項１に記載の洗濯機。
【請求項３】
前記ドアには、前記入口部を開閉するためのシャッターが設置されていることを特徴とする請求項２に記載の洗濯機。
【請求項４】
前記ドアは、背面部中央が前記ドラムの内部に向かって突出して形成され、
前記出口部は、前記ドアの背面部中央に形成されていることを特徴とする請求項２に記載の洗濯機。
【請求項５】
前記洗剤投入部の入口部及び出口部は、前記ドアの背面に形成されていることを特徴とする請求項１に記載の洗濯機。
【請求項６】
前記ドアは、前記洗剤投入部が備わり、開口ホールが形成されたドアフレームと、前記開口ホールに装着されたドアガラスと、から構成されていることを特徴とする請求項１に記載の洗濯機。
【請求項７】
前記洗濯機は、前記ドアの閉鎖時に前記洗剤投入部に連通するように配置された給水装置をさらに含むことを特徴とする請求項１乃至６のいずれか１項に記載の洗濯機。
【請求項８】
前記給水装置は、外部ホースを通して供給される水を調節する給水バルブと、前記ドアの閉鎖時に前記給水バルブを通過した水を前記洗剤投入部に案内するように配置された給水ホースと、を含むことを特徴とする請求項７に記載の洗濯機。
【請求項９】
前記洗剤投入部は、前記入口部を介して投入される洗剤のための所定収容空間を有する洗剤収容部と、前記洗剤収容部に含まれる洗剤と供給される水とを一緒に前記出口部に排出するためのサイフォン部と、を含むことを特徴とする請求項７に記載の洗濯機。
【発明の詳細な説明】
【技術分野】
【０００１】
本発明は、洗濯機に関し、詳しくは、ドアに洗剤投入部が設置されることにより、内部空間を容易に活用できる洗濯機に関する。
【背景技術】
【０００２】
一般に、洗濯機は、水と洗剤との作用を用いてドラム内に収容された衣服、寝具など(以下、‘布’という)の汚染物質を取り除くために、洗濯、濯ぎ及び脱水などの過程を通して布を洗浄する装置であって、水と混合された洗剤をタブに供給するための洗剤投入装置を備える。
【０００３】
図１は、従来の洗濯機の内部構成を示した側断面図で、図２は、図１に示した洗剤ボックスを洗濯機の外部に引き出した状態を示した斜視図である。
【０００４】
従来の洗濯機は、図１及び図２に示すように、一面に布出し入れホール１が形成されたキャビネット２と、このキャビネット２の内部に緩衝可能に支持され、洗剤が溶解した水(以下、‘洗濯水’という)または洗剤が溶解してないきれい水(以下、‘濯ぎ水’という)を収容するタブ１０と、このタブ１０の内側に回転自在に配置されて布ｍを収容するドラム１２と、このドラム１２を支持及び回転するためのシャフト１３を備えたモーター１４と、水を供給するための給水装置１６と、洗剤が収容されるとともに、前記給水装置１６によって供給された水が通過することにより、洗剤が溶解した水を前記タブ１０に供給するための洗剤投入装置２０と、前記タブ１０内の汚染水を排出するための排水装置３０と、を含んで構成される。
【０００５】
前記キャビネット２には、前記布出し入れホール１を開閉するためのドア４が回動自在に連結される。
【０００６】
前記キャビネット２の前面側上部には、前記洗濯機を操作するためのコントロールパネル７が設置される。
【０００７】
前記コントロールパネル７の左右の一側には、後述する洗剤ボックスを出し入れするための洗剤ボックス出し入れホール８が形成される。
【０００８】
前記ドラム１２には、布ｍを濡らすために、前記タブ１０に供給される洗濯水または濯ぎ水を前記ドラム１２の内部に流入させる通孔１３が形成される。
【０００９】
前記洗剤投入装置２０は、前記コントロールパネル７の洗剤ボックス出し入れホール８の後方に装着された洗剤ボックスハウジング２１と、前記洗剤ボックス出し入れホール８を通して挿入されて前記洗剤ボックスハウジング２１の内側に収納されるとともに、洗剤を収容する洗剤収容部２２ａが備わる洗剤ボックス２２と、前記洗剤ボックスハウジング２１の上側に位置するように前記コントロールパネル７の背面に装着され、前記給水装置１６を通して供給される水を前記洗剤ボックス２２に供給するためのディスペンサー２３と、を含んで構成される。
【００１０】
前記洗剤ボックスハウジング２１には、前記洗剤ボックス２２を通過した洗濯水または濯ぎ水を前記タブ１０の内部に案内するための給水ベローズ２４が連結される。
【００１１】
参照番号１１は、前記給水ベローズ２４を前記タブ１０に連結するために前記タブ１０に形成されたベローズ連結口である。
【００１２】
上記のように構成された従来の洗濯機は、前記洗剤ボックス２２を前方に引き出し、前記洗剤ボックス２２の洗剤収容部２２ａに洗剤または柔軟剤を入れた後、前記洗剤ボックス２２を洗剤ボックスハウジング２１の内部に押し入れると、前記洗剤ボックス２２が前記洗剤ボックスハウジング２１の内側に収納される。
【００１３】
その後、前記布出し入れホール１を通して布ｍを投入し、前記ドア４を閉じた後、前記コントロールパネル７を通して作動命令を入力すると、前記洗濯機は、入力された命令に従って前記モーター１４、給水装置１６および排水装置３０を作動する。
【００１４】
洗濯行程が入力された場合、前記洗濯機は、前記給水装置１６を作動して外部から供給される水を前記ディスペンサー２３に案内し、前記ディスペンサー２３は、供給された水を前記洗剤ボックス２２に落下する。次いで、前記洗剤ボックス２２に落下した水は、洗剤と溶解しながら前記洗剤ボックスハウジング２１に排出された後、前記給水ベローズ２４を通して前記タブ１０の内側に供給される。
【００１５】
洗剤に溶解して前記タブ１０に供給された水(洗濯水)は、布を濡らすために、前記ドラム１２の通孔１３を通して前記ドラム１２の内部に流入する。
【００１６】
上記のような給水が行われた後、前記モーター１４の駆動によって前記ドラム１２が回転することで、前記ドラム１２内の布の汚染物質は、洗濯水との作用によって取り除かれる。
【００１７】
一方、前記洗濯行程が所定時間行われた後、前記排水装置３０は、前記タブ１０内の汚染水を洗濯機の外部に排出する。
【００１８】
上記のような給水、洗濯及び排水が行われた後、前記洗濯機は、濯ぎ行程の入力可否を確認し、濯ぎ行程が入力された場合、前記給水装置１６の作動によって外部から供給される水を前記ディスペンサー２３に案内し、前記ディスペンサー２３は、供給された水を前記洗剤ボックス２２に落下する。次いで、前記洗剤ボックス２２に落下した水は、前記洗剤ボックスハウジング２１及び給水ベローズ２４を通して前記タブ１０の内側に供給される。
【００１９】
洗剤が溶解していない前記タブ１０に供給された水(濯ぎ水)は、前記洗濯行程時と同様に、布を濡らし、前記モーター１４の駆動によって前記ドラム１２が回転すると、前記ドラム１２内の布の泡は、濯ぎ水との作用によって濯がれる。
【００２０】
一方、上記のような濯ぎ行程が所定時間行われた後、前記排水装置３０は、前記タブ１０内の汚染水を洗濯機の外部に排出する。
【００２１】
しかしながら、従来の洗濯機は、前記洗剤投入装置２０の洗濯機の内部で占める空間が大きいため、洗濯機の容積が大きくなる。さらに、洗剤ボックスハウジング２１及び給水ベローズ２４などの部品数が多いため、組立工程が煩雑になるという問題点があった。
【００２２】
また、前記タブ１０にベローズ連結口１１を成形するために、タブ１０の成形が複雑になるとともに、製造原価が増加するという問題点があった。
【発明の開示】
【発明が解決しようとする課題】
【００２３】
本発明は、上記の問題点を解決するためになされたもので、容積を減少し、部品数及び組立工程を最小化し、タブの成形を単純化し、製造原価を低減できる洗濯機を提供することを目的とする。
【課題を解決するための手段】
【００２４】
上記の目的を達成するために、本発明による洗濯機は、布出し入れホールが形成されたキャビネットと、前記布出し入れホールを開閉するためのドアと、前記キャビネットの内部に装着されたタブと、前記タブの内側に回転自在に配置されて布を収容するドラムと、前記ドアに形成された洗剤投入部と、を含むことを特徴とする。
【００２５】
前記洗剤投入部は、前記ドアの前面に入口部が形成され、前記ドアの背面に出口部が形成されていてよい。
【００２６】
前記ドアには、前記入口部を開閉するためのシャッターが設置されていてよい。
【００２７】
前記ドアは、背面部中央が前記ドラムの内部に向かって突出して形成され、前記出口部は、前記ドアの背面部中央に形成されていてよい。
【００２８】
前記洗剤投入部は、前記ドアの背面に入口部及び出口部が形成されていてよい。
【００２９】
前記ドアは、前記洗剤投入部が備わり、開口ホールが形成されたドアフレームと、前記開口ホールに装着されたドアガラスと、から構成されていてよい。
前記洗濯機は、前記ドアの閉鎖時に前記洗剤投入部に連通するように配置された給水装置をさらに含んで構成されてよい。
【００３０】
前記給水装置は、外部ホースを通して供給される水を調節する給水バルブと、前記ドアの閉鎖時に前記給水バルブを通過した水を前記洗剤投入部に案内するために配置された給水ホースと、を含んで構成されてよい。
前記洗剤投入部は、前記入口部を通して投入される洗剤のための所定収容空間を有する洗剤収容部と、前記洗剤収容部に含まれる洗剤と供給される水とを一緒に前記出口部に排出するためのサイフォン部と、を含んで構成されてよい。
【発明の効果】
【００３１】
本発明による洗濯機は、ドアに洗剤を投入するための洗剤投入部を設けることにより、ドアを通して洗剤を投入できるので、洗濯機の内部に洗剤投入部を設置するときよりも容易に空間を活用し、洗濯機の容積を最小化し、部品数を最小化できる。
【００３２】
また、本発明による洗濯機は、前記ドアの前面に洗剤投入部の入口部が、ドアの背面に洗剤投入部の出口部がそれぞれ形成されることにより、ドアを閉じた状態で洗剤を投入及び追加できるので使用上便利である。
【００３３】
また、本発明による洗濯機は、前記ドアの背面に洗剤投入部の入口部が、ドアの背面に洗剤投入部の出口部がそれぞれ形成されることで、洗剤投入部が洗濯機の前面側から見えないので、前記洗濯機の前面側の美観を向上できる。
【００３４】
また、本発明による洗濯機は、前記ドアに前記洗剤投入部の入口部を開閉するためのシャッターを設置することにより、洗剤投入部への異物質侵入及び給水装置を通して供給される水の漏水を防止できる。
【００３５】
また、本発明による洗濯機において、前記ドアは、洗剤投入部を備え、開口ホールが形成されたドアフレームと、前記開口ホールに装着されたドアガラスと、を含むので、ドアフレームを通して洗剤を投入するとともに、ドアガラスを通して洗濯機の内部を確認できる。
【発明を実施するための最良の形態】
【００３６】
以下、本発明の実施の形態を図面に基づいて説明する。本実施形態を説明する上で、同一構成には同一名称及び番号を付し、それに対する説明を省略する。
【００３７】
図３は本発明による洗濯機の第１実施形態の内部構成を示した側断面図であり、図４は本発明による洗濯機の第１実施形態を示した斜視図である。
【００３８】
本実施形態による洗濯機は、図３及び図４に示すように、布出し入れホール５１が形成されたキャビネット５２と、前記布出し入れホール５１を開閉するためのドア６０と、前記キャビネット５２の内部に装着されたタブ７０と、このタブ７０の内側に回転自在に配置されて布ｍを収容するドラム８０と、前記ドア６０に形成された洗剤投入部９０と、この洗剤投入部９０に水を供給するために、前記ドア６０の閉鎖時に前記洗剤投入部９０に連通するように配置された給水装置１００と、を含んで構成される。
【００３９】
前記キャビネット５２は、前記洗濯機の底面部を構成するベースファン５３と、このベースファン５３の上側に配置されて前記洗濯機の側面部及び背面部を構成するキャビネット本体５４と、このキャビネット本体５４の前面に配置されて前記洗濯機の前面部を構成し、中央に前記布出し入れホール５１が形成されたキャビネットカバー５５と、前記キャビネット本体５４の上側に配置されて前記洗濯機の上面部を構成するトップカバー５６と、を含んで構成される。
【００４０】
前記キャビネット５２の前記キャビネットカバー５５には、前記ドア６０の閉鎖時に前記給水装置１００が前記洗剤投入部９０に連通するように、前記給水装置１００の一部を貫通させる貫通ホール５５ａが形成される。
【００４１】
前記ドア６０は、その一側が前記キャビネット５２の前記キャビネットカバー５５にヒンジ連結される。
【００４２】
前記ドア６０の前記ヒンジ部の反対側には、前記キャビネット５２の前記キャビネットカバー５５に装着されたドア係止スイッチによって係止/解除するフックが設置される。
【００４３】
前記ドア６０の背面部中央６３は、前記ドラム８０の内部に向かって突出形成される。
【００４４】
前記ドア６０には、前記洗剤投入部９０の入口部９１を開閉するためのシャッター６４が設置される。
【００４５】
前記シャッター６４は、前記ドア６０に回動自在に連結される。
【００４６】
前記シャッター６４は、下端を中心に上部が前方に開放するように、下端が前記ドア６０にヒンジ連結される。
【００４７】
前記ドア６０には、前記ドア６０の閉鎖時に前記給水装置１００の一部が前記洗剤投入部９０の内部に導入されるように、前記給水装置１００の一部を挿入するための挿入ホール６５が形成される。
【００４８】
前記挿入ホール６５は、前記ドア６０の閉鎖時に前記給水装置１００の一部が容易に挿入するように、前記ドア６０の背面に形成されることが好ましく、特に、前記キャビネットカバー５５の貫通ホール５５ａの前方に形成されることが好ましい。
【００４９】
前記ドア６０は、その一側に前記洗剤投入部９０の入口部９１が形成された前面パネル６６と、この前面パネル６６の背面に結合され、一側には前記洗剤投入部９０の出口部９２が、他側には前記挿入ホール６５がそれぞれ形成された後面パネル６７と、から構成される。
【００５０】
前記タブ７０は、洗剤が溶解した水(以下、´洗濯水´という)または洗剤が溶解してないきれいな水(以下、´濯ぎ水´という)などを収容するもので、前記キャビネット５２のベースファン５３に連結されたダンパー７１及び前記キャビネット５２のキャビネット本体５４に連結されたスプリング７２に連結され、前記キャビネット５２によって緩衝可能に支持される。
【００５１】
前記タブ７０は、前記布出し入れホール５１の後方に開口ホール７３が形成され、洗濯機の底面に対して水平に配置されるか、または、水平に近く配置される。
【００５２】
前記タブ７０には、前記ドア６０の閉鎖時に前記ドア６０の背面に密着する布ｍ及び洗濯水などの流出を防止するガスケット７４が装着される。
【００５３】
前記ガスケット７４は、前記タブ７０の開口ホール７３と前記キャビネットカバー５５の布出し入れホール５１との間を遮蔽するために、一端が前記タブ７３に、他端が前記キャビネットカバー５５にそれぞれ連結される。
【００５４】
前記ガスケット７４の内周面には、前記ドア６０の閉鎖時に前記ドア６０の背面と密着するシーリング部７４ａが形成される。
【００５５】
前記タブ７０には、前記タブ７０内の洗濯水、濯ぎ水及び布から脱水される水を前記洗濯機の外部に排出する排水装置７５が連結される。
【００５６】
前記排水装置７５は、前記タブ７０に連結されてタブ７０内の水を排出する排水ベローズ７６と、この排水ベローズ７６を通して排出される水をポンピングする排水ポンプ７７と、この排水ポンプ７７によってポンピングされる水を洗濯機の外部に案内する排水ホース７８と、を含む。
【００５７】
前記タブ７０には、前記ドラム５０を支持及び回転するモーター７９が装着される。
【００５８】
前記モーター７９は、前記タブ８０の背面に固定された固定子と、この固定子の周り及び背面を取り囲む回転子と、前記タブ７０の背面部を貫通し、前記回転子及び前記ドラム８０の背面側に固定されるシャフト７９ａと、から構成される。
【００５９】
前記ドラム８０は、その下部が前記タブ７０内の洗濯水または濯ぎ水に浸されるように、前記タブ７０と同様に、洗濯機の底面に対して水平に配置されるか、または、略水平に配置される。
【００６０】
前記ドラム８０には、前記布出し入れホール５１の後方に布ｍ、洗濯水または濯ぎ水を出し入れするための出し入れホール８２が形成され、周り部または背面部に洗濯水または空気を出し入れするための複数個の通孔８４が形成され、周り部の内周面に布ｍを持ち上げてから落下するリフター８６が装着される。
【００６１】
前記洗剤投入部９０は、前記ドア６０の前面、背面及び周面のうち少なくとも一側にその入口部９１が形成されるが、以下、前記ドア６０の前面に入口部９１が形成された場合を説明する。
【００６２】
前記洗剤投入部９０の出口部９２は、前記ドア６０の背面に形成される。
【００６３】
前記出口部９２は、洗濯水または濯ぎ水を前記ガスケット７４に落下せずに、前記タブ７０またはドラム８０の内部に落下するために、前記ドア６０の背面部中央６３に形成される。
【００６４】
前記洗剤投入部９０は、前記入口部９１を通して投入された洗剤の所定の収容空間を備えた洗剤収容部９３と、この洗剤収容部９３に含まれた洗剤と供給された水とを一緒に前記出口部９２に排出するためのサイフォン部９４と、を含んで構成される。
【００６５】
前記給水装置１００は、外部ホース１０１を通して供給される水を制御する給水バルブ１０２と、前記ドア６０の閉鎖時に前記給水バルブ１０２を通過した水を前記洗剤投入部９０に案内するために配置された給水ホース１０４と、を含んで構成される。
【００６６】
前記給水ホース１０４は、一端が前記給水バルブ１０２に連結されて前記キャビネットカバー５５の貫通ホール５５ａを貫通し、他端が前記貫通ホール５５ａの前方から突出して配置される。
【００６７】
参照番号５７は、前記洗濯機を操作するために、前記キャビネットカバー５５の上側に装着されたコントロールパネルである。
【００６８】
以下、上記のように構成された本発明の動作を説明する。
まず、前記布出し入れホール５１を通して布ｍを投入し、前記ドア６０を閉じると、前記給水ホース１０４の一部は、前記ドア６０の挿入ホール６５を通過して前記洗剤投入部９０に連通され、前記洗剤投入部９０の出口部９２は、前記ドラム８０の内部に向かうようになる。
【００６９】
また、前記シャッター６４を前方に回動して前記洗剤投入部９０の入口部９１を開放した後に前記入口部９１を通して洗剤Ｄを投入すると、この投入された洗剤Ｄは、前記洗剤投入部９０内の洗剤収容部９３に収容される。
【００７０】
その後、前記シャッター６４を後方に回動して前記洗剤投入部９０の入口部９１を閉鎖し、前記コントロールパネル５７を通して洗濯、濯ぎ及び脱水などの各種の行程命令を入力すると、前記洗濯機は、入力された命令に従って前記モーター７９、給水バルブ１０２及び排水ポンプ７７を作動する。
【００７１】
前記洗濯行程が入力された場合、前記洗濯機は、前記給水バルブ１０２をオンにする。
前記給水バルブ１０２がオンになると、外部ホース１０２を通して供給される水は、前記給水バルブ１０２及び給水ホース１０４を順に通過して前記洗剤投入部９０の内部に供給され、前記洗剤収容部９３に落下して洗剤Ｄに溶解する。
【００７２】
上記のように水の給水が行われると、前記洗剤収容部９３内の洗剤と混合した水(洗濯水ｗ)は、布ｍを濡らすために、前記サイフォン部９４を経由して前記洗剤投入部９０の出口部９２を通して排出された後、タブ７０やドラム８０の内部に供給される。
【００７３】
洗濯水ｗの供給が所定水位まで行われると、前記給水バルブ１０２はオフになり、前記モーター７９が駆動される。
【００７４】
前記モーター７９が駆動されると、前記ドラム８０の回転によって前記布ｍが前記ドラム８０内で循環移動することにより、布ｍの汚染物質が分離される。
【００７５】
上記のような洗濯が所定時間行われた後、前記モーター７９は駆動停止され、前記排水ポンプ７７が駆動される。
【００７６】
前記排水ポンプ７７の駆動時に、前記タブ７０内の汚染された洗濯水ｗは、前記排水ベローズ７６、排水ポンプ７７及び排水ホース７８を順に通過して洗濯機の外部に排出される。
【００７７】
一方、 濯ぎ行程が入力された場合、前記洗濯機は、前記洗濯行程と同様に、前記給水バルブ１０２、モーター７９及び排水ポンプ７７を駆動/停止する。
【００７８】
前記給水バルブ１０２がオンになると、外部ホース１０２を通して供給された水は、前記給水バルブ１０２及び給水ホース１０４を順に通過して前記洗剤投入部９０の内部に供給された後、前記洗剤収容部９３に落下して洗剤収容部９３を徐々に満たす。
【００７９】
上記のように水の給水が行われると、前記洗剤収容部９３内の水(濯ぎ水ｗ)は、布ｍを濡らすために、前記サイフォン部９４を経由して前記洗剤投入部９０の出口部９２を通して排出された後、タブ７０やドラム８０の内部に供給される。
【００８０】
濯ぎ水ｗの供給が所定水位まで行われると、前記給水バルブ１０２はオフになり、前記モーター７９が駆動される。
【００８１】
前記モーター７９が駆動されると、前記ドラム８０の回転によって前記布ｍが前記ドラム８０内で循環移動することにより、濯ぎ水ｗによって布ｍの泡が濯がれる。
【００８２】
上記のような洗濯が所定時間行われた後、前記モーター７９は駆動停止され、前記排水ポンプ７７が駆動される。
【００８３】
前記排水ポンプ７７の駆動時に前記タブ７０内の汚染された濯ぎ水ｗは、前記排水ベローズ７６、排水ポンプ７７及び排水ホース７８を順に通過して洗濯機の外部に排出される。
【００８４】
図５は、本発明による洗濯機の第２実施形態の内部構成を示した側断面図であり、図６は、図５のドアを開放した状態を示した斜視図である。
【００８５】
本実施形態による洗濯機では、図５及び図６に示すように、ドア６０´の背面部に洗剤投入部９０´の入口部９１´が形成されており、ドア７０´を前方に開放した後、洗剤Ｄを洗剤投入部９０´の入口部９１´に投入する。前記洗剤投入部９０´の入口部９１´以外の他の構成及び作用は、本発明の第１実施形態と同一であるので、同一参照番号を付してその詳細な説明を省略する。
【００８６】
前記ドア６０´は、前面パネル６６´と、この前面パネル６６´の背面に結合された後面パネル６７´と、から構成されており、後面パネル６７の上部には、前記洗剤投入部９０´の入口部９１´及び給水装置１００の一部を挿入するための挿入ホール６５が形成され、後面パネル６７の下部には、前記洗剤投入部９０´の出口部９２が形成される。
【００８７】
図７は、本発明による洗濯機の第３実施形態の内部構成を示した側断面図であり、図８は、本発明による洗濯機の第３実施形態を示した斜視図である。
【００８８】
本実施形態による洗濯機において、図７及び図８に示すように、ドア６０は、洗剤投入部９０″を備え、開口ホールが形成されたドアフレーム６６″，６７″と、前記開口ホールに装着され、ドラムに向かって凸状に形成された透明なドアガラス６８″と、から構成される。前記ドアフレーム６６″，６７″及びドアガラス６８″以外の他の構成及び作用は、本発明の第１実施形態または第２実施形態と同一であるので、同一参照番号を付して詳細な説明を省略する。
【００８９】
前記ドアフレーム６６″，６７″は、前面パネル６６″と、この前面パネル６６″の背面に結合された後面パネル６７″と、から構成されており、前記前面パネル６６″の上部には、前記洗剤投入部９０″の入口部９１が形成され、前記後面パネル６７″の上部には、給水装置１００の一部を挿入するための挿入ホール６５が形成され、前記後面パネル６７″の下部には、前記洗剤投入部９０″の出口部９２が形成される。
【００９０】
一方、本発明は、上記の実施形態に限定されるものでなく、前記洗剤投入部とは別途に柔軟剤投入部が形成されることで、柔軟剤が柔軟剤投入部を通して投入され、濯ぎ行程時に、この投入された柔軟剤が外部から供給される水と一緒にタブに供給されることも可能である。
【００９１】
また、本発明は上記の実施形態に限定されるものでなく、前記ドアを構成する前面パネルと後面パネルとの間に空間部を形成することにより、この空間部内に別途の洗剤ボックスが内蔵され、前記給水装置を通して案内される水を前記洗剤ボックスに案内する別途の給水ホースが前記ドアに設置され、前記洗剤ボックスを通過する洗濯水または濯ぎ水を前記ドアの後方に案内する別途の案内ホースが前記ドアに設置されることも可能である。
【図面の簡単な説明】
【００９２】
【図１】従来の洗濯機の内部構成を示した側断面図である。
【図２】図１の洗剤ボックスを洗濯機の外部に引き出した状態を示した斜視図である。
【図３】本発明による洗濯機の第１実施形態の内部構成を示した側断面図である。
【図４】本発明による洗濯機の第１実施形態を示した斜視図である。
【図５】本発明による洗濯機の第２実施形態の内部構成を示した側断面図である。
【図６】図５のドアを開放した状態を示した斜視図である。
【図７】本発明による洗濯機の第３実施形態の内部構成を示した側断面図である。
【図８】本発明による洗濯機の第３実施形態を示した斜視図である。
【符号の説明】
【００９３】
５１    布出し入れホール
５２    キャビネット
５５    キャビネットカバー
５５ａ    貫通ホール
６０    ドア
６４    シャッター
６５    挿入ホール
６６    前面パネル
６７    後面パネル
７０    タブ
７３    開口ホール
７５    排水装置
７６    排水ベローズ
７７    排水ポンプ
７８    排水ホース
７９    モーター
８０    ドラム
８２    出し入れホール
８４    通孔
８６    リフター
９０    洗剤投入部
９１    入口部
９２    出口部
９３    洗剤収容部
９４    サイフォン部
１００    給水装置
１０２    給水バルブ
１０４    給水ホース
Ｄ    洗剤
ｍ    布
ｗ    洗濯水、濯ぎ水
【図１】
2006075604.tif 000003
【図２】
2006075604.tif 000004
【図３】
2006075604.tif 000005
【図４】
2006075604.tif 000006
【図５】
2006075604.tif 000007
【図６】
2006075604.tif 000008
【図７】
2006075604.tif 000009
【図８】
2006075604.tif 000010